(57)【要約】【課題】入力項目に対して複数回情報を入力する場面における利便性を向上させることが可能な、情報処理装置を提供する。【解決手段】表示部に表示される第１の入力画面に対する入力時に、１以上の入力項目に関する情報を含む第１のテンプレートをデータベースから取得するデータ管理部と、取得された第１のテンプレートに含まれる情報を前記第１の入力画面に表示させる表示制御部と、前記第１の入力画面に表示される前記第１のテンプレートに含まれる情報に対する利用者の編集内容に応じた第２のテンプレートを生成するテンプレート生成部と、を備え、前記表示制御部は、生成された第２のテンプレートを前記表示部に表示される第２の入力画面に表示させる、情報処理装置。【選択図】図１５
2016040689.tif 000002
【特許請求の範囲】
【請求項１】
表示部に表示される第１の入力画面に対する入力時に、１以上の入力項目に関する情報を含む第１のテンプレートをデータベースから取得するデータ管理部と、
取得された第１のテンプレートに含まれる情報を前記第１の入力画面に表示させる表示制御部と、
前記第１の入力画面に表示される前記第１のテンプレートに含まれる情報に対する利用者の編集内容に応じた第２のテンプレートを生成するテンプレート生成部と、
を備え、
前記表示制御部は、生成された第２のテンプレートを前記表示部に表示される第２の入力画面に表示させる、情報処理装置。
【請求項２】
前記テンプレート生成部は、前記第１のテンプレートの入力項目の少なくとも一部を前記第２のテンプレートに含むように、前記第２のテンプレートを生成する、請求項１に記載の情報処理装置。
【請求項３】
前記テンプレート生成部は、前記第１のテンプレートに含まれる入力項目に対応づけて前記第１のテンプレートに記録されている情報が前記第１の入力画面において削除されることに基づいて、前記第２のテンプレートを生成する、請求項１または２に記載の情報処理装置。
【請求項４】
前記テンプレート生成部は、前記第１のテンプレートに含まれる入力項目のうち前記第１の入力画面において利用者により情報が削除された入力項目に対応付けて、当該削除された情報を前記第２のテンプレートに記録することにより、前記第２のテンプレートを生成する、請求項３に記載の情報処理装置。
【請求項５】
前記データ管理部は、複数回表示する入力項目を管理する表示項目管理部を備え、
前記テンプレート生成部は、前記表示項目管理部から複数回表示する入力項目の情報を取得し、前記入力項目を含むように前記第２のテンプレートを生成する、請求項１〜４のいずれか一項に記載の情報処理装置。
【請求項６】
前記第１の入力画面および前記第２の入力画面は、医療機関で記載されたレセプトに含まれる複数の記載項目にそれぞれ対応づけられた複数の入力項目を含む、請求項１〜５のいずれか一項に記載の情報処理装置。
【請求項７】
前記情報処理装置は、前記第１の入力画面において利用者により入力される関係者情報を取得する関係者情報取得部をさらに備え、
前記データ管理部は、取得された関係者情報に対応づけて、前記テンプレート生成部により生成された第２のテンプレートを前記データベースに記録する、請求項６に記載の情報処理装置。
【請求項８】
前記関係者情報取得部は、前記第２の入力画面において利用者により入力される関係者情報をさらに取得し、
前記データ管理部は、取得された関係者情報に対応づけて記録されている第２のテンプレートを前記データベースから取得し、
前記表示制御部は、取得された第２のテンプレートを前記第２の入力画面に表示させる、請求項７に記載の情報処理装置。
【請求項９】
前記関係者情報は、保険者情報、被保険者情報、または医療機関情報を含む、請求項７または８に記載の情報処理装置。
【請求項１０】
前記第２の入力画面は、前記第１の入力画面における入力対象のレセプトの翌月分のレセプトの記載内容を入力するための入力画面である、請求項１〜９のいずれか一項に記載の情報処理装置。
【請求項１１】
表示部に表示される第１の入力画面に対する入力時に、１以上の入力項目に関する情報を含む第１のテンプレートをデータベースから取得するデータ管理部と、
取得された第１のテンプレートに含まれる情報を前記第１の入力画面に表示させる表示制御部と、
前記第１の入力画面に表示される前記第１のテンプレートに含まれる情報に対する利用者の編集内容に応じた第２のテンプレートを生成するテンプレート生成部と、
を備え、
前記表示制御部は、生成された第２のテンプレートを前記表示部に表示される第２の入力画面に表示させる、情報処理システム。
【発明の詳細な説明】
【技術分野】
【０００１】
本発明は、情報処理装置に関する。
【背景技術】
【０００２】
従来、複数の項目を含む所定のレイアウトに対してデータを記録する技術が開発されている。例えば、特許文献１には、放送番組ごとに、複数の項目を含む共通のテンプレートに対して各放送番組に関する情報を記録する技術が記載されている。
【０００３】
また、複数のデータの中から、あるデータに類似する別のデータを抽出する技術も開発されている。例えば、特許文献２には、当日の交通量の時系列パターンと、過去の交通量の時系列パターンとの類似度の判別を行い、そして、最も類似するパターンを抽出する技術が記載されている。
【先行技術文献】
【特許文献】
【０００４】
【特許文献１】特開２０１３−１５７６５６号公報
【特許文献２】特開２００２−２９８２８１号公報
【発明の概要】
【発明が解決しようとする課題】
【０００５】
ところで、表示画面に表示される入力項目に対してユーザが複数回情報を入力する場面では、入力作業が容易であることが望ましい。このような場面に上記の技術を適用することを想定すると、上記の技術は、入力作業時の利便性が低い。例えば、上記の技術では、入力項目に対する一回目の入力時にユーザが行った編集内容を、同一の入力項目に対する二回目の入力時に利用することができない。
【０００６】
そこで、本発明は、上記問題に鑑みてなされたものであり、本発明の目的とするところは、入力項目に対して複数回情報を入力する場面における利便性を向上させることが可能な、新規かつ改良された情報処理装置を提供することにある。
【課題を解決するための手段】
【０００７】
上記課題を解決するために、本発明のある観点によれば、表示部に表示される第１の入力画面に対する入力時に、１以上の入力項目に関する情報を含む第１のテンプレートをデータベースから取得するデータ管理部と、取得された第１のテンプレートに含まれる情報を前記第１の入力画面に表示させる表示制御部と、前記第１の入力画面に表示される前記第１のテンプレートに含まれる情報に対する利用者の編集内容に応じた第２のテンプレートを生成するテンプレート生成部と、を備え、前記表示制御部は、生成された第２のテンプレートを前記表示部に表示される第２の入力画面に表示させる、情報処理装置が提供される。
【０００８】
前記テンプレート生成部は、前記第１のテンプレートの入力項目の少なくとも一部を前記第２のテンプレートに含むように、前記第２のテンプレートを生成してもよい。
【０００９】
前記テンプレート生成部は、前記第１のテンプレートに含まれる入力項目に対応づけて前記第１のテンプレートに記録されている情報が前記第１の入力画面において削除されることに基づいて、前記第２のテンプレートを生成してもよい。
【００１０】
前記テンプレート生成部は、前記第１のテンプレートに含まれる入力項目のうち前記第１の入力画面において利用者により情報が削除された入力項目に対応付けて、当該削除された情報を前記第２のテンプレートに記録することにより、前記第２のテンプレートを生成してもよい。
【００１１】
前記データ管理部は、複数回表示する入力項目を管理する表示項目管理部を備え、前記テンプレート生成部は、前記表示項目管理部から複数回表示する入力項目の情報を取得し、前記入力項目を含むように前記第２のテンプレートを生成してもよい。
【００１２】
前記第１の入力画面および前記第２の入力画面は、医療機関で記載されたレセプトに含まれる複数の記載項目にそれぞれ対応づけられた複数の入力項目を含んでもよい。
【００１３】
前記情報処理装置は、前記第１の入力画面において利用者により入力される関係者情報を取得する関係者情報取得部をさらに備え、前記データ管理部は、取得された関係者情報に対応づけて、前記テンプレート生成部により生成された第２のテンプレートを前記データベースに記録してもよい。
【００１４】
前記関係者情報取得部は、前記第２の入力画面において利用者により入力される関係者情報をさらに取得し、前記データ管理部は、取得された関係者情報に対応づけて記録されている第２のテンプレートを前記データベースから取得し、前記表示制御部は、取得された第２のテンプレートを前記第２の入力画面に表示させてもよい。
【００１５】
前記関係者情報は、保険者情報、被保険者情報、または医療機関情報を含んでもよい。
【００１６】
前記第２の入力画面は、前記第１の入力画面における入力対象のレセプトの翌月分のレセプトの記載内容を入力するための入力画面であってもよい。
【００１７】
また、上記課題を解決するために、本発明の別の観点によれば、コンピュータを、表示部に表示される第１の入力画面に対する入力時に、１以上の入力項目に関する情報を含む第１のテンプレートをデータベースから取得するデータ管理部と、取得された第１のテンプレートに含まれる情報を前記第１の入力画面に表示させる表示制御部と、前記第１の入力画面に表示される前記第１のテンプレートに含まれる情報に対する利用者の編集内容に応じた第２のテンプレートを生成するテンプレート生成部と、を備え、前記表示制御部は、生成された第２のテンプレートを前記表示部に表示される第２の入力画面に表示させる、情報処理システムが提供される。
【発明の効果】
【００１８】
以上説明したように本発明によれば、入力項目に対して複数回情報を入力する場面における利便性を向上させることができる。
【図面の簡単な説明】
【００１９】
【図１】本発明の実施形態による情報処理システムの構成例を示した説明図である。
【図２】診療報酬明細書の一例を示した説明図である。
【図３】同実施形態による入力画面の表示例を示した説明図である。
【図４】同実施形態によるオペレータ端末１０の構成を示した機能ブロック図である。
【図５】同実施形態による入力用テンプレートの登録画面の一例を示した説明図である。
【図６】同実施形態による入力画面に対する入力例を示した説明図である。
【図７】同実施形態による入力用テンプレートＤＢ１２８の構成例を示した説明図である。
【図８】同実施形態による分割テンプレートＤＢ１３０の構成例を示した説明図である。
【図９】入力画面における入力用テンプレートの表示例を示した説明図である。
【図１０】表示された入力用テンプレートから一部の情報が削除された例を示した説明図である。
【図１１】同実施形態による分割テンプレートＤＢ１３０の更新例を示した説明図である。
【図１２】同実施形態による入力画面に対する入力例を示した説明図である。
【図１３】同実施形態による入力画面に対する入力例を示した説明図である。
【図１４】入力画面における分割テンプレートの表示例を示した説明図である。
【図１５】同実施形態による動作を示したフローチャートである。
【図１６】同実施形態によるオペレータ端末１０のハードウェア構成を示した説明図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて入力画面４０ａおよび入力画面４０ｂのように区別する。ただし、実質的に同一の機能構成を有する複数の構成要素の各々を特に区別する必要がない場合、同一符号のみを付する。例えば、入力画面４０ａおよび入力画面４０ｂを特に区別する必要が無い場合には、単に入力画面４０と称する。
【００２２】
また、以下に示す項目順序に従って当該「発明を実施するための形態」を説明する。
１．情報処理システムの基本構成
２．実施形態の詳細な説明
２−１．構成
２−２．動作
２−３．効果
３．ハードウェア構成
４．変形例
【００２３】
＜＜１．情報処理システムの基本構成＞＞
＜１−１．基本構成＞
本発明は、一例として「２．実施形態の詳細な説明」において詳細に説明するように、多様な形態で実施され得る。最初に、本発明の実施形態による情報処理システムの基本構成について図１を参照して説明する。
【００２４】
図１に示したように、本実施形態による情報処理システムは、オペレータ端末１０、サーバ２０、および通信網２２を含む。
【００２５】
［１−１−１．オペレータ端末１０］
オペレータ端末１０は、本発明における情報処理装置の一例である。このオペレータ端末１０は、例えば医療機関から送付された診療報酬明細書（以下、紙レセプトとも称する）を電子化することを目的として、データ入力を行うための端末である。このオペレータ端末１０は、例えばＰＣ（Ｐｅｒｓｏｎａｌ  Ｃｏｍｐｕｔｅｒ）などであってもよい。なお、オペレータは、本発明における利用者の一例である。
【００２６】
ここで、図２を参照して、紙レセプトの一例（紙レセプト３０）について説明する。図２に示したように、紙レセプト３０は、項目記載欄３００を含む。項目記載欄３００は、例えば氏名記載欄３００ａ、性別記載欄３００ｂなど、該当の医療機関の該当の月の診療報酬を決定するために必要な項目の記載欄である。なお、この項目記載欄３００には、医療機関において記載がなされる。
【００２７】
オペレータは、紙レセプトを見ながら、紙レセプトに含まれる各記載項目の記載内容を示すデータを、入力画面における各記載項目に対応する入力項目に対して入力する。ここで、データとは、例えば１以上の文字や、アイコンなどである。
【００２８】
次に、図３を参照して、入力画面の構成例（入力画面４０）について説明する。図３に示したように、入力画面４０は、複数の入力項目の入力欄４００、および入力完了ボタン４０２を含む。ここで、入力項目は、例えば氏名、性別などを含む。また、入力欄４００は、例えば氏名入力欄４００ａ、性別入力欄４００ｂなど、紙レセプト３０に含まれる項目記載欄３００の各々の記載内容を入力するための入力欄である。なお、図３では、オペレータが現在入力可能な入力欄４００が太線で表示される（つまり、現在入力可能な入力欄４００は氏名入力欄４００ａである）例を示している。また、入力完了ボタン４０２は、例えば全ての入力項目の入力欄４００に対するデータの入力が完了した場合などにオペレータにより選択されるボタンである。
【００２９】
この入力画面は、最も上に表示されている入力欄４００（つまり氏名入力欄４００ａ）から下へ一つずつ順々にオペレータが入力可能なように設計されている。例えば、図３に示した例では、オペレータは、まず、氏名入力欄４００ａに対してデータを入力し、そして、入力項目「氏名」に対する入力を確定させるために例えば「Ｆ３」などの所定の確定キーを押下する。すると、オペレータ端末１０は、オペレータが入力可能な入力項目の入力欄４００を、氏名入力欄４００ａから性別入力欄４００ｂへ遷移させる。
【００３０】
この入力画面によれば、オペレータは、各入力項目の入力欄４００に対して連続的にデータを入力していくことが可能であるので、効率的にデータを入力することができる。
【００３１】
また、オペレータ端末１０は、入力画面における全ての入力項目の入力欄４００に対する入力が完了した場合に、入力されたデータをサーバ２０へ送信することが可能である。
【００３２】
［１−１−２．サーバ２０］
サーバ２０は、オペレータ端末１０から受信される、紙レセプトに関する入力データを保存するための装置である。また、サーバ２０は、保存している、紙レセプトに関する入力データを例えば診療報酬明細書を審査する審査機関へ提供する。
【００３３】
［１−１−３．通信網２２］
通信網２２は、通信網２２に接続されている装置から送信される情報の有線、または無線の伝送路である。例えば、通信網２２は、電話回線網、インターネット、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含む。また、通信網２２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３４】
以上、本実施形態による情報処理システムの構成について説明した。上述したオペレータ端末１０は、入力項目に対して複数回情報を入力する場面における利便性を向上させることが可能である。以下、このような本発明の実施形態について詳細に説明する。
【００３５】
＜＜２．実施形態の詳細な説明＞＞
＜２−１．構成＞
まず、本実施形態による構成について詳細に説明する。図４は、本実施形態によるオペレータ端末１０の構成を示した機能ブロック図である。図４に示したように、オペレータ端末１０は、制御部１００、通信部１２０、表示部１２２、入力部１２４、および記憶部１２６を有する。
【００３６】
［２−１−１．制御部１００］
制御部１００は、オペレータ端末１０に内蔵される、後述するＣＰＵ（Ｃｅｎｔｒａｌ  Ｐｒｏｃｅｓｓｉｎｇ  Ｕｎｉｔ）１５０、ＲＡＭ（Ｒａｎｄｏｍ  Ａｃｃｅｓｓ  Ｍｅｍｏｒｙ）１５４などのハードウェアを用いて、オペレータ端末１０の動作を全般的に制御する。また、図４に示したように、制御部１００は、表示制御部１０２、データ認識部１０４、関係者情報取得部１０６、データ管理部１０８、およびテンプレート生成部１１０を有する。
【００３７】
［２−１−２．表示制御部１０２］
（２−１−２−１．表示制御例１）
表示制御部１０２は、各種の表示画面を、後述する表示部１２２に表示させる。例えば、表示制御部１０２は、図３に示したような入力画面を表示部１２２に表示させる。
【００３８】
また、表示制御部１０２は、後述するデータ管理部１０８により記憶部１２６からテンプレートが抽出された場合、抽出されたテンプレートに含まれる情報を入力画面に表示させる。ここで、テンプレートとは、入力画面に含まれる一部の入力項目、および当該入力項目の各々に対して登録された情報を含むデータである。また、テンプレートの種類は、入力用テンプレートと分割テンプレートの２種類がある。入力用テンプレートは、例えばオペレータの操作により予め登録されるテンプレートである。この入力用テンプレートは、本発明における第１のテンプレートの一例である。また、分割テンプレートは、入力画面に表示された入力用テンプレートに対するオペレータの編集作業に基づいて生成されるテンプレートである。この分割テンプレートは、本発明における第２のテンプレートの一例である。
【００３９】
（２−１−２−２．表示制御例２）
また、表示制御部１０２は、例えばオペレータの操作に基づいて、入力用テンプレートを登録するための入力用テンプレート登録画面を表示部１２２に表示させることが可能である。
【００４０】
ここで、図５を参照して、入力用テンプレート登録画面の表示例（入力用テンプレート登録画面５０）について説明する。図５に示したように、入力用テンプレート登録画面５０は、例えば、項目入力欄５００、および登録ボタン５０２を含む。ここで、テンプレートＮｏ入力欄５００ａには、現在入力中の入力用テンプレートに対して採番された識別番号が入力される。また、傷病名入力欄５００ｂには、該当のテンプレートにおいて入力項目「傷病名」に対応づけて登録される情報が入力される。また、年齢入力欄５００ｃには、該当のテンプレートに対応づけて登録される年齢条件が記録される。また、診療行為入力欄５００ｄには、該当のテンプレートにおいて入力項目「診療行為」に対応づけて登録される情報が入力される。
【００４１】
詳細については後述するが、この入力用テンプレート登録画面５０において、オペレータにより全ての項目入力欄５００に対して情報が入力され、そして、登録ボタン５０２が選択されると、まず、後述するテンプレート生成部１１０が、各項目入力欄５００に対して入力された情報を含む入力用テンプレートを生成する。そして、データ管理部１０８は、生成された入力用テンプレートを入力用テンプレートＤＢ１２８に追加登録する。
【００４２】
［２−１−３．データ認識部１０４］
データ認識部１０４は、入力画面に含まれる各入力項目に対してオペレータにより入力されたデータを認識する。より具体的には、データ認識部１０４は、各入力項目に対するデータの入力が完了する度に、当該入力項目に対して入力されたデータを認識する。
【００４３】
例えば、図３に示した例において、オペレータにより氏名入力欄４００ａに「青木  太郎」という文字列が入力され、かつ、所定の確定キーが押下された場合には、データ認識部１０４は、入力項目「氏名」に対して入力されたデータが「青木  太郎」という文字列であることを認識する。
【００４４】
［２−１−４．関係者情報取得部１０６］
関係者情報取得部１０６は、データ認識部１０４による認識結果に基づいて、入力画面においてオペレータにより入力される関係者情報を取得する。ここで、関係者情報は、例えば、保険者番号、被保険者記号・番号、または医療機関番号などを含む。
【００４５】
ここで、図６を参照して、上記の機能についてより詳細に説明する。図６は、氏名入力欄４００ａから傷病名入力欄４００ｈまでがオペレータにより入力された際の入力画面の表示例を示した説明図である。図６に示した例において、関係者情報取得部１０６は、医療機関番号入力欄４００ｅに入力された「２５８９６３７」を医療機関番号として取得する。同様に、関係者情報取得部１０６は、保険者番号入力欄４００ｆに入力された「１２３４５６７８」を保険者番号として、被保険者記号・番号入力欄４００ｇに入力された「１２３・７８９４５６」を被保険者記号・番号としてそれぞれ取得する。
【００４６】
［２−１−５．データ管理部１０８］
データ管理部１０８は、後述する入力用テンプレートＤＢ１２８または分割テンプレートＤＢ１３０に対してデータの記録、抽出、削除などの操作を行う。なお、入力用テンプレートＤＢ１２８および分割テンプレートＤＢ１３０は、本発明におけるデータベースの一例である。
【００４７】
例えば、データ管理部１０８は、関係者情報取得部１０６により取得された関係者情報に対応する分割テンプレートが分割テンプレートＤＢ１３０に記録されている場合には、当該分割テンプレートを分割テンプレートＤＢ１３０から抽出する。また、データ管理部１０８は、関係者情報取得部１０６により取得された関係者情報に対応する分割テンプレートが分割テンプレートＤＢ１３０に記録されていない場合には、例えば「傷病名」などの所定の入力項目に対して入力された情報に対応する入力用テンプレートを入力用テンプレートＤＢ１２８から抽出する。
【００４８】
また、データ管理部１０８は、後述するテンプレート生成部１１０により分割テンプレートが生成された場合には、関係者情報取得部１０６により取得された関係者情報と、生成された分割テンプレートとを対応づけて分割テンプレートＤＢ１３０に記録する。
【００４９】
また、データ管理部１０８は、分割テンプレートを分割テンプレートＤＢ１３０から抽出した場合には、当該分割テンプレートを分割テンプレートＤＢ１３０から削除することも可能である。
【００５０】
（２−１−５−１．入力用テンプレートＤＢ１２８）
ここで、図７を参照して、入力用テンプレートＤＢ１２８の構成例について説明する。図７に示したように、入力用テンプレートＤＢ１２８では、例えば、テンプレートＮｏ１２８０、傷病名１２８２、年齢１２８４、および診療行為１２８６が対応づけて記録される。なお、テンプレートＮｏ１２８０、傷病名１２８２、年齢１２８４、および診療行為１２８６には、それぞれ各テンプレートにおいて登録されているテンプレートＮｏ、傷病名、年齢条件、および診療行為がそれぞれ記録される。
【００５１】
（２−１−５−２．分割テンプレートＤＢ１３０）
次に、図８を参照して、分割テンプレートＤＢ１３０の構成例について説明する。図８に示したように、分割テンプレートＤＢ１３０では、例えば、保険者番号１３００、被保険者記号・番号１３０２、医療機関番号１３０４、分割項目１  １３０６、・・・が対応づけて登録される。また、分割項目１  １３０６は、項目名１３０８、および分割情報１３１０を含む。ここで、保険者番号１３００、被保険者記号・番号１３０２、および医療機関番号１３０４、および生年月日１３０６には、関係者情報取得部１０６により取得された関係者情報がそれぞれ記録される。また、分割項目１  １３０８には、分割テンプレートに含まれる一つの入力項目の名前、および当該入力項目に対応づけて分割テンプレートに登録されている情報が記録される。なお、図８では図示を省略しているが、分割テンプレートＤＢ１３０には、分割テンプレートに含まれる入力項目の数だけ「分割項目」が登録されてもよい。
【００５２】
［２−１−６．テンプレート生成部１１０］
（２−１−６−１．入力用テンプレートの生成）
テンプレート生成部１１０は、例えば図５に示したような入力用テンプレート登録画面に対するオペレータの入力に基づいて、入力用テンプレートを生成する。
【００５３】
なお、テンプレート生成部１１０は、入力用テンプレートに含まれる入力項目のうち分割テンプレートに複数回、或いは毎回表示したい項目についてフラグを用意し、データ管理部１０８に含まれる表示項目管理部（図示省略）で管理してもよい。これにより、例えばオペレータは、分割テンプレートに表示したい項目とそうでない項目とを分けて登録することが可能になる。また、前記フラグ情報は、入力用テンプレートの項目情報に含めてもよいし、別の記憶部に記憶してもよい。
【００５４】
（２−１−６−２．分割テンプレートの生成）
また、テンプレート生成部１１０は、入力画面に表示される入力用テンプレートに含まれる情報に対するオペレータの編集内容に基づいて、分割テンプレートを生成する。
【００５５】
より具体的には、テンプレート生成部１１０は、入力用テンプレートに含まれる入力項目に対応づけて入力用テンプレートに記録されている情報が入力画面においてオペレータにより削除されることに基づいて、分割テンプレートを生成する。例えば、テンプレート生成部１１０は、入力用テンプレートに含まれる入力項目のうち入力画面においてオペレータにより情報が削除された入力項目と、当該削除された情報とを対応づけて分割テンプレートに記録することにより、分割テンプレートを生成する。
【００５６】
また、テンプレート生成部１１０は、分割テンプレートに含まれる入力項目と、入力用テンプレートに含まれる入力項目とが一致するように、分割テンプレートを生成することが可能である。
【００５７】
［２−１−７．通信部１２０］
通信部１２０は、通信網２２を介して、他の装置との間で情報の送受信を行う。例えば、通信部１２０は、制御部１００の制御に従って、入力画面において入力が全て完了した入力データをサーバ２０へ送信する。
【００５８】
［２−１−８．表示部１２２］
表示部１２２は、表示制御部１０２の制御に従って、各種の表示画面を表示する。
【００５９】
［２−１−９．入力部１２４］
入力部１２４は、オペレータによるオペレータ端末１０に対する各種の入力操作を受け付ける。
【００６０】
［２−１−１０．記憶部１２６］
記憶部１２６は、例えば、入力用テンプレートＤＢ１２８、および分割テンプレートＤＢ１３０などの各種データを記憶する。
【００６１】
なお、本実施形態によるオペレータ端末１０の構成は、上述した構成に限定されない。例えば、入力用テンプレートＤＢ１２８、または分割テンプレートＤＢ１３０は、記憶部１２６に記憶される代わりに、通信網２２に接続された他の装置に記憶されることも可能である。
【００６２】
＜２−２．適用例＞
以上、本実施形態による構成について説明した。ここで、上述した本実施形態による構成の適用例について説明する。なお、以下で述べる適用例は、ある医療機関においてある患者が月またがり（当月と翌月）で診療を受けた場合において、当該患者に関する月ごとの紙レセプトの記載内容をオペレータが入力画面に入力する場面の例である。
【００６３】
［２−２−１．当月の入力］
まず、当月において、オペレータは、当月分の紙レセプトを見ながら、例えば図６に示したように、入力画面４０ａに含まれる入力項目の入力欄４００のうち、氏名入力欄４００ａから傷病名入力欄４００ｈまでデータを入力する。なお、この入力画面４０ａは、本発明における第１の入力画面の一例である。
【００６４】
この時点において、データ管理部１０８は、分割テンプレートＤＢ１３０を参照し、関係者情報取得部１０６により取得されている医療機関番号（「２５８９６３７」）、保険者番号（「１２３４５６７８」）、および被保険者記号・番号（「１２３・７８９４５６」）に対応する分割テンプレートが分割テンプレートＤＢ１３０に記録されているか否かを確認する。
【００６５】
ここで、当該患者の紙レセプトに関する分割テンプレートは現在作成されていないので、上記の関係者情報に対応する分割テンプレートは分割テンプレートＤＢ１３０に記録されていない。このため、データ管理部１０８は、傷病名入力欄４００ｈに対して入力された情報（「ＺＺＺ病」）と、元号入力欄４００ｃおよび生年月日入力欄４００ｄに入力された情報（「昭和５６年３月２８日」）とに対応する入力用テンプレートを入力用テンプレートＤＢ１２８から抽出する。例えば、入力用テンプレートＤＢ１２８が図７に示したように登録されている場合には、データ管理部１０８は、テンプレートＮｏが「００００００２」である入力用テンプレートを入力用テンプレートＤＢ１２８から抽出する。
【００６６】
そして、表示制御部１０２は、例えば図９に示したように、データ管理部１０８により抽出された入力用テンプレートにおいて入力項目「診療行為」に対応づけて登録されている情報を診療行為入力欄４００ｉに表示させる。
【００６７】
その後、オペレータは、例えば図１０において一点鎖線で示したように、診療行為入力欄４００ｉに表示された情報のうち、当月分の紙レセプトに記載されていない情報（つまり、「（２）ロ診療行為」）を削除する。すると、テンプレート生成部１１０は、入力項目「診療行為」と、診療行為入力欄４００ｉにおいて削除された情報とを対応づけて分割テンプレートを生成する。そして、データ管理部１０８は、例えば図１１において一点鎖線で示したように、関係者情報取得部１０６により取得された関係者情報と、生成された分割テンプレートとを対応づけて分割テンプレートＤＢ１３０に追加登録する。
【００６８】
その後、例えば図１２に示したように、オペレータにより、残りの全ての入力項目の入力欄４００にデータが入力され、そして、入力完了ボタン４０２が選択されると、当月分の紙レセプトに関するデータの入力が完了する。
【００６９】
［２−２−２．翌月の入力］
次に、翌月における処理の流れについて説明する。医療機関から該当の患者に関する翌月分の紙レセプトが送付された場合、オペレータは、新たな入力画面４０ｂをオペレータ端末１０に表示させる。そして、オペレータは、この紙レセプトを見ながら、例えば図１３に示したように、入力画面４０ｂに含まれる入力項目の入力欄４００のうち、氏名入力欄４００ａから傷病名入力欄４００ｈまでデータを入力する。なお、この入力画面４０ｂは、本発明における第２の入力画面の一例である。
【００７０】
この時点において、データ管理部１０８は、（当月と同様に）分割テンプレートＤＢ１３０を参照し、そして、関係者情報取得部１０６により取得された関係者情報に対応する分割テンプレートが分割テンプレートＤＢ１３０に記録されているか否かを確認する。
【００７１】
図１１に示したように、取得された関係者情報に対応する分割テンプレートは、現在分割テンプレートＤＢ１３０に記録されている。このため、データ管理部１０８は、当該分割テンプレートを分割テンプレートＤＢ１３０から抽出する。そして、データ管理部１０８は、当該分割テンプレートを分割テンプレートＤＢ１３０から削除する。
【００７２】
そして、表示制御部１０２は、図１４において一点鎖線で示したように、データ管理部１０８により抽出された分割テンプレートに含まれる入力項目「診療行為」の登録情報を診療行為入力欄４００ｉに表示させる。
【００７３】
その後、オペレータにより、残りの全ての入力項目の入力欄４００にデータが入力され、そして、入力完了ボタン４０２が選択されると、翌月分の紙レセプトに関するデータの入力が完了する。
【００７４】
＜２−３．動作＞
以上、本実施形態の適用例について説明した。続いて、本実施形態による動作について説明する。
【００７５】
図１５は、本実施形態による動作を示したフローチャートである。図１５に示したように、まず、オペレータ端末１０の表示制御部１０２は、例えばオペレータによる操作に基づいて、新規の入力画面を表示部１２２に表示させる（Ｓ１０１）。
【００７６】
続いて、制御部１００は、入力画面に含まれる全ての入力項目に対する入力が完了しているか否かを判定する（Ｓ１０２）。全ての入力項目に対する入力が完了している場合には（Ｓ１０２：Ｙｅｓ）、制御部１００は、入力された全てのデータをサーバ２０へ通信部１２０に送信させる（Ｓ１０３）。
【００７７】
一方、入力が未完了である入力項目が残っている場合には（Ｓ１０２：Ｎｏ）、オペレータは、残っている入力項目のうち入力順が次である入力項目に対して、紙レセプトの記載項目に記載されている内容を入力する（Ｓ１０４）。そして、制御部１００は、入力された入力項目が、「保険者番号」、「被保険者記号・番号」、「医療機関番号」、または「傷病名」のうちいずれかであるか否かを判定する（Ｓ１０５）。入力された入力項目が上記の４つのいずれでもない場合には（Ｓ１０５：Ｎｏ）、オペレータ端末１０は、再びＳ１０２の動作を行う。
【００７８】
一方、入力された入力項目が上記の４つのいずれかである場合には（Ｓ１０５：Ｙｅｓ）、制御部１００は、次に、上記の４つの入力項目全てに対して入力が完了したか否かを判定する（Ｓ１０６）。上記の４つの入力項目のうち未入力の入力項目が存在する場合には（Ｓ１０６：Ｎｏ）、オペレータ端末１０は、再びＳ１０２の動作を行う。
【００７９】
一方、上記の４つの入力項目全てに対して入力が完了した場合には（Ｓ１０６：Ｙｅｓ）、データ管理部１０８は、分割テンプレートＤＢ１３０を参照し、そして、関係者情報取得部１０６により取得された関係者情報（つまり「保険者番号」、「被保険者記号・番号」、および「医療機関番号」）に対応する分割テンプレートが分割テンプレートＤＢ１３０に登録されているか否かを判定する（Ｓ１０７）。
【００８０】
取得された関係者情報に対応する分割テンプレートが分割テンプレートＤＢ１３０に登録されている場合には（Ｓ１０７：Ｙｅｓ）、データ管理部１０８は、該当の分割テンプレートを分割テンプレートＤＢ１３０から抽出する（Ｓ１０８）。そして、表示制御部１０２は、Ｓ１０８で抽出された分割テンプレートに含まれる入力項目「診療行為」の登録情報を、入力画面における入力項目「診療行為」の入力欄に表示させる（Ｓ１０９）。そして、オペレータ端末１０は、再びＳ１０２の動作を行う。
【００８１】
一方、取得された関係者情報に対応する分割テンプレートが分割テンプレートＤＢ１３０に登録されていない場合には（Ｓ１０７：Ｎｏ）、データ管理部１０８は、入力項目「傷病名」、「元号」、および「生年月日」に対してそれぞれ入力された情報に対応する入力用テンプレートを入力用テンプレートＤＢ１２８から抽出する（Ｓ１１０）。
【００８２】
続いて、表示制御部１０２は、Ｓ１１０で抽出された入力用テンプレートに含まれる入力項目「診療行為」の登録情報を、入力画面における入力項目「診療行為」の入力欄に表示させる（Ｓ１１１）。
【００８３】
その後、オペレータは、Ｓ１１１で表示された情報のうち、紙レセプトに記載されていない情報を削除する（Ｓ１１２）。
【００８４】
続いて、テンプレート生成部１１０は、入力項目「診療行為」と、Ｓ１１２で入力画面において削除された情報とを対応づけて分割テンプレートを生成する。そして、データ管理部１０８は、関係者情報取得部１０６により取得された関係者情報と、生成された分割テンプレートとを対応づけて分割テンプレートＤＢ１３０に追加登録する（Ｓ１１３）。その後、オペレータ端末１０は、再びＳ１０２の動作を行う。
【００８５】
＜２−４．効果＞
以上、例えば図４、および図１５等を参照して説明したように、本実施形態によるオペレータ端末１０は、一回目の入力時に、入力用テンプレートに含まれる情報を入力画面に表示させ、表示された入力用テンプレートに含まれる情報に対するオペレータの編集内容に基づいて分割テンプレートを生成し、そして、生成された分割テンプレートを、二回目の入力時における入力画面に表示させる。
【００８６】
このため、一回目の入力時における編集内容に応じた情報を二回目の入力時に入力画面に表示させるので、オペレータにとって二回目の入力時における入力作業が容易になる。
【００８７】
例えば、当月の入力画面に表示された入力用テンプレートにおいて入力項目「診療行為」と対応づけて登録されている情報のうち一部がオペレータにより削除された場合には、オペレータ端末１０は、入力項目「診療行為」と当該削除された情報とを対応づけて分割テンプレートを生成し、そして、当該分割テンプレートを翌月の入力画面に表示させる。
【００８８】
一般的に、一人の患者の、ある傷病に対する診療が月またがりになる場合には、当該患者に対してなされる診療行為の種類は、当月と翌月との間で異なる可能性が高い。つまり、該当の入力用テンプレートにおいて入力項目「診療行為」に対応づけて登録されている診療行為の種類のうち一部は、当月の紙レセプトの診療行為記載欄３００ｉに記載されるが、残りは、翌月の紙レセプトの診療行為記載欄３００ｉに記載される可能性が高い。
【００８９】
上述したように、本実施形態によれば、当月の入力画面に表示された入力用テンプレートにおいて削除された情報を分割テンプレートとして翌月の入力画面に自動的に表示させるので、翌月の入力作業時におけるオペレータの入力作業の手間を軽減させることが可能となる。
【００９０】
＜＜３．ハードウェア構成＞＞
次に、本実施形態によるオペレータ端末１０のハードウェア構成について、図１６を参照して説明する。図１６に示したように、オペレータ端末１０は、ＣＰＵ１５０、ＲＯＭ（Ｒｅａｄ  Ｏｎｌｙ  Ｍｅｍｏｒｙ）１５２、ＲＡＭ１５４、内部バス１５６、入出力インターフェース１５８、入力装置１６０、表示装置１６２、ＨＤＤ（Ｈａｒｄ  Ｄｉｓｋ  Ｄｒｉｖｅ）１６４、およびネットワークインターフェース１６６を備える。
【００９１】
＜３−１．ＣＰＵ１５０＞
ＣＰＵ１５０は、演算処理装置および制御装置として機能し、各種プログラムに従ってオペレータ端末１０内の動作全般を制御する。また、ＣＰＵ１５０は、オペレータ端末１０において制御部１００の機能を実現する。なお、ＣＰＵ１５０は、マイクロプロセッサなどのプロセッサにより構成される。
【００９２】
＜３−２．ＲＯＭ１５２＞
ＲＯＭ１５２は、ＣＰＵ１５０が使用するプログラムや演算パラメータ等を記憶する。
【００９３】
＜３−３．ＲＡＭ１５４＞
ＲＡＭ１５４は、ＣＰＵ１５０の実行において使用するプログラムや、その実行において適宜変化するパラメータ等を一時記憶する。
【００９４】
＜３−４．内部バス１５６＞
内部バス１５６は、ＣＰＵバスなどから構成される。この内部バス１５６は、ＣＰＵ１５０、ＲＯＭ１５２、およびＲＡＭ１５４を相互に接続する。
【００９５】
＜３−５．入出力インターフェース１５８＞
入出力インターフェース１５８は、入力装置１６０、表示装置１６２、ＨＤＤ１６４、およびネットワークインターフェース１６６を、内部バス１５６と接続する。例えばＨＤＤ１６４は、この入出力インターフェース１５８および内部バス１５６を介して、ＲＡＭ１５４などとの間でデータをやり取りする。
【００９６】
＜３−６．入力装置１６０＞
入力装置１６０は、例えばキーボード、マウス、ボタン、マイクロフォン、またはスイッチなど利用者が情報を入力するための入力手段と、利用者による入力に基づいて入力信号を生成し、ＣＰＵ１５０に出力する入力制御回路などから構成されている。利用者は、入力装置１６０を操作することにより、オペレータ端末１０に対して各種のデータを入力したり、処理内容を指示したりすることができる。
【００９７】
＜３−７．表示装置１６２＞
表示装置１６２は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置、およびランプなどを含む。
【００９８】
＜３−８．ＨＤＤ１６４＞
ＨＤＤ１６４は、記憶部１２６として機能する、データ格納用の装置である。このＨＤＤ１６４は、例えば、記憶媒体、記憶媒体にデータを記録する記録装置、記憶媒体からデータを読み出す読出し装置、および記憶媒体に記録されたデータを削除する削除装置などを含む。また、ＨＤＤ１６４は、ＣＰＵ１５０が実行するプログラムや各種データを格納する。
【００９９】
＜３−９．ネットワークインターフェース１６６＞
ネットワークインターフェース１６６は、例えばインターネットなどの通信網に接続するための通信デバイス等で構成された通信インターフェースである。このネットワークインターフェース１６６は、通信部１２０として機能する。なお、ネットワークインターフェース１６６は、無線ＬＡＮ対応通信装置、ＬＴＥ（Ｌｏｎｇ  Ｔｅｒｍ  Ｅｖｏｌｕｔｉｏｎ）対応通信装置、または有線による通信を行うワイヤー通信装置であってもよい。
【０１００】
＜＜４．変形例＞＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０１】
＜４−１．変形例１＞
例えば、本実施形態による入力画面は、図３に示したような画面例に限定されない。例えば、入力項目の並び順は、図３に示した例に限定されず、任意の順番であってもよい。また、入力画面は、対象の紙レセプトが撮影された画像データをさらに含んでもよい。
【０１０２】
＜４−２．変形例２＞
また、上記の説明では、オペレータ端末１０が、医療機関で記載された紙レセプトの記載内容を入力するために用いられる例を中心として説明したが、かかる例に限定されない。例えば、オペレータ端末１０は、行政機関や金融機関などで記載された各種書類の記載内容を入力するために用いられることも可能である。
【０１０３】
＜４−３．変形例３＞
また、入力データの形式が予め定められており、かつ、一部のデータだけが当月にオペレータにより入力された場合には、オペレータ端末１０は、残りのデータだけを含む分割テンプレートを生成することも可能である。そして、オペレータ端末１０は、生成した分割テンプレートを翌月の入力時に入力画面に表示させることが可能である。この変形例によれば、オペレータは、複数月で１テンプレート分のデータの入力を完了させることができる。
【０１０４】
＜４−４．変形例４＞
また、上述のように、入力用テンプレート登録画面に対するオペレータの入力に基づいて、入力用テンプレートに含まれる入力項目のうち分割テンプレートに複数回、或いは毎回表示する項目についてフラグを用意してもよい。ここで、複数回、或いは毎回表示したい項目とは、例えば、初回だけでなく次回以降も行う可能性がある診療行為についての項目などである。
【０１０５】
例えば、図９に記載の入力項目「診療行為」についてフラグを用意した場合に、テンプレート生成部は分割テンプレートとしてフラグを用意した入力項目、つまり入力項目「診療行為」を含んだテンプレートを生成してもよい。
【０１０６】
これにより、同じ項目について複数回にわたり入力が必要となる入力項目についても毎回表示することが可能となり、利便性を向上させることができる。
【０１０７】
＜４−５．変形例５＞
また、本実施形態によれば、ＣＰＵ１５０、ＲＯＭ１５２、およびＲＡＭ１５４などのハードウェアを、上述したオペレータ端末１０の各構成と同等の機能を発揮させるためのコンピュータプログラムも提供可能である。また、該コンピュータプログラムが記録された記録媒体も提供される。
【符号の説明】
【０１０８】
１０  オペレータ端末
２０  サーバ
２２  通信網
１００  制御部
１０２  表示制御部
１０４  データ認識部
１０６  関係者情報取得部
１０８  データ管理部
１１０  テンプレート生成部
１２０  通信部
１２２  表示部
１２４  入力部
１２６  記憶部
１５０  ＣＰＵ
１５２  ＲＯＭ
１５４  ＲＡＭ
１５６  内部バス
１５８  入出力インターフェース
１６０  入力装置
１６２  表示装置
１６４  ＨＤＤ
１６６  ネットワークインターフェース
【図１】
2016040689.tif 000003
【図２】
2016040689.tif 000004
【図３】
2016040689.tif 000005
【図４】
2016040689.tif 000006
【図５】
2016040689.tif 000007
【図６】
2016040689.tif 000008
【図７】
2016040689.tif 000009
【図８】
2016040689.tif 000010
【図９】
2016040689.tif 000011
【図１０】
2016040689.tif 000012
【図１１】
2016040689.tif 000013
【図１２】
2016040689.tif 000014
【図１３】
2016040689.tif 000015
【図１４】
2016040689.tif 000016
【図１５】
2016040689.tif 000017
【図１６】
2016040689.tif 000018